(57)【要約】【課題】筐体の側面に液体タンクが備えられると、使用者が記録装置を手に持って移動させることが困難であるという課題がある。【解決手段】記録ヘッドを収容する筐体としての第１ケース３と、第１ケース３の外側に配置され、インクを収容するタンクユニット５、タンクユニット５のインクタンク９から記録ヘッドにインクを供給する供給部と、タンクユニット５に設けられた取っ手部６０と、を備える記録装置を提供する。【選択図】図１
2015112777.tif 000002
【特許請求の範囲】
【請求項１】
記録媒体に液体を噴射する記録ヘッドと、
前記記録ヘッドを収容する筐体と、
前記筐体の外側に配置され、前記液体を収容する液体収容体と、
前記液体収容体を収容する液体収容ユニットと、
前記液体収容体から前記記録ヘッドに前記液体を供給する供給部と、を有し、
前記液体収容ユニットには、取っ手部が設けられていることを特徴とする記録装置。
【請求項２】
請求項１に記載の記録装置であって、
前記取っ手部は、前記液体収容ユニットの鉛直方向における上部に設けられることを特徴とする記録装置。
【請求項３】
請求項１に記載の記録装置であって、
前記取っ手部は、前記記録媒体が排出される側を正面として、前記液体収容ユニットの側部に設けられることを特徴とする記録装置。
【請求項４】
請求項１から請求項３のいずれか一項に記載の記録装置であって、
前記液体収容ユニットは、
前記液体収容体が視認可能な部材によって形成された視認部を備え、
前記取っ手部は、前記視認部が配置されない部分に設けられることを特徴とする記録装置。
【請求項５】
請求項４に記載の記録装置であって、
前記液体収容ユニットは、前記液体収容ユニットの一部を開閉可能に覆うカバー部を有し、
前記取っ手部は、前記カバー部が配置されない部分に設けられることを特徴とする記録装置。
【請求項６】
請求項４または請求項５に記載の記録装置であって、
前記液体収容体は、前記液体を注入する注入口を有し、前記取っ手部は、前記注入口が配置されない部分に設けられることを特徴とする記録装置。
【請求項７】
請求項１から請求項６のいずれか一項に記載の記録装置であって、
前記取っ手部は、前記液体収容ユニットとは別部材から形成され、前記液体収容ユニットに対して着脱可能であることを特徴とする記録装置。
【請求項８】
請求項１から請求項７のいずれか一項に記載の記録装置であって、
前記筐体における前記液体収容ユニットが備えられた面と反対側に、筐体用取っ手部を備えることを特徴とする記録装置。
【発明の詳細な説明】
【技術分野】
【０００１】
本発明は、記録装置に関する。
【背景技術】
【０００２】
記録ヘッドを搭載したキャリッジを往復動させながら用紙などの記録媒体にインクを噴射して画像を形成する記録装置には、記録ヘッドやキャリッジを収容する筐体とは別体に液体タンクが備えられ、インクを供給するための液体供給チューブによって液体タンクから記録ヘッドにインクが供給されるものがある。
例えば、特許文献１では、筐体の側面に液体タンクが備えられる。
【先行技術文献】
【特許文献】
【０００３】
【特許文献１】特開２０１２−１４８５１０号公報
【発明の概要】
【発明が解決しようとする課題】
【０００４】
筐体の側面に液体タンクが備えられると、筐体における液体タンクが備えられた側の側面や底部を手で把持する際に支障となる。そのため、使用者が記録装置を手に持って移動させることが困難であるという課題がある。
【課題を解決するための手段】
【０００５】
本発明は、上述の課題の少なくとも一部を解決するためになされたものであり、以下の形態または適用例として実現することが可能である。
【０００６】
［適用例１］記録媒体に液体を噴射する記録ヘッドと、前記記録ヘッドを収容する筐体と、前記筐体の外側に配置され、前記液体を収容する液体収容体と、前記液体収容体を収容する液体収容ユニットと、前記液体収容体から前記記録ヘッドに前記液体を供給する供給部と、を有し、前記液体収容ユニットには、取っ手部が設けられていることを特徴とする記録装置。
【０００７】
本適用例によれば、液体収容ユニットには、取っ手部が設けられている。これにより、使用者は、取っ手部を把持し、記録装置を安定した姿勢で容易に移動可能である。
【０００８】
［適用例２］前記取っ手部は、前記液体収容ユニットの鉛直方向における上部に設けられることを特徴とする上記記録装置。
【０００９】
本適用例によれば、記録装置の幅方向の長さを短くできる。
【００１０】
［適用例３］前記取っ手部は、前記記録媒体が排出される側を正面として、前記液体収容ユニットの側部に設けられることを特徴とする上記記録装置。
【００１１】
本適用例によれば、記録装置の高さ方向の長さを短くできる。
【００１２】
［適用例４］前記液体収容ユニットは、前記液体収容体が視認可能な部材によって形成された視認部を備え、前記取っ手部は、前記視認部が配置されない部分に設けられることを特徴とする上記記録装置。
【００１３】
本適用例によれば、視認部の範囲が小さくなり、視認性が低下することを抑制できる。
【００１４】
［適用例５］前記液体収容ユニットは、前記液体収容ユニットの一部を開閉可能に覆うカバー部を有し、前記取っ手部は、前記カバー部が配置されない部分に設けられることを特徴とする上記記録装置。
【００１５】
本適用例によれば、使用者がカバー部を開閉する際、支障にならない。
【００１６】
［適用例６］前記液体収容体は、前記液体を注入する注入口を有し、前記取っ手部は、前記注入口が配置されない部分に設けられることを特徴とする上記記録装置。
【００１７】
本適用例によれば、使用者が液体を注入する際、支障にならない。
【００１８】
［適用例７］前記取っ手部は、前記液体収容ユニットとは別部材から形成され、前記液体収容ユニットに対して着脱可能であることを特徴とする上記記録装置。
【００１９】
本適用例によれば、他の記録装置と共通の取っ手部として構成すれば、記録装置の製造コストの増加を抑制できる。
【００２０】
［適用例８］前記筐体における前記液体収容ユニットが備えられた面と反対側に、筐体用取っ手部を備えることを特徴とする上記記録装置。
【００２１】
本適用例によれば、使用者は、液体収容ユニットに設けられた取っ手部と筐体用取っ手部とを両手で把持し、記録装置を安定した姿勢で移動できる。
【図面の簡単な説明】
【００２２】
【図１】実施形態１におけるインクジェットプリンターの外観斜視図。
【図２】第２ケースを取り外した状態のインクジェットプリンターの斜視図。
【図３】第１ケース、第２ケースを取り外した状態のインクジェットプリンターの斜視図。
【図４】（ａ）は、実施形態２におけるインクジェットプリンターの第２ケースを取り外した状態の斜視図、（ｂ）は、第２ケースの上部に取っ手部が備えられた部分を示す斜視図。
【図５】（ａ）は、実施形態３におけるタンクユニットの第２ケースに取っ手部が備えられた部分を示す斜視図、（ｂ）は、実施形態４におけるタンクユニットの貯留部に取っ手部が備えられた部分を示す斜視図。
【図６】実施形態５における複合機の外観斜視図。
【図７】装置本体におけるタンクユニットが取り付けられる取付面の斜視図。
【図８】タンクユニットの斜視図。
【図９】実施形態６におけるタンクユニットの斜視図。
【図１０】取っ手部の形状を示す斜視図。
【図１１】筐体の側面に取っ手部が設けられた部分の斜視図。
【発明を実施するための形態】
【００２３】
記録装置の一例であるインクジェットプリンター（以下、プリンターと呼ぶ）を例に、実施形態について図面を参照しながら説明する。なお、各図面において、それぞれの構成を認識可能な程度の大きさにするために、構成や部材の縮尺が異なっていることがある。
【００２４】
（実施形態１）
図１は、実施形態１におけるプリンター１の外観斜視図である。プリンター１は、液体の一例であるインクによって、用紙Ｐなどの記録媒体に印刷を行うことができる。プリンター１は、図１に示すように、第１ケース３と、第１ケース３の外側に配置されるタンクユニット５と、を有している。
【００２５】
第１ケース３には、プリンター１の機構ユニット１０（図３参照）が収容されている。機構ユニット１０は、プリンター１において、印刷動作を実行する機構部分である。機構ユニット１０の詳細については、後述する。
【００２６】
タンクユニット５は、タンクユニット５の外殻をなす第２ケース７を有し、第２ケース７は、インクを貯留する貯留部としてのインクタンク９を収容する。本実施形態では、４個のインクタンク９が一体に形成されており、ブラック、イエロー、マゼンタ、シアンの４色のインクがそれぞれのインクタンク９に１色ずつ貯留される。
【００２７】
インクタンク９には、インク注入部２２がそれぞれ設けられ、使用者は、インク注入部２２に設けられた注入口（不図示）を封止するキャップ２３を取り外し、注入口からインクを注入することができる。
【００２８】
また、プリンター１には、排紙部１１が設けられている。プリンター１では、排紙部１１から用紙Ｐが排出される。排紙部１１が設けられている面を正面１３とし、正面１３に交差する上面１５に操作パネル１７を有している。操作パネル１７には、電源ボタン１８Ａや、その他の操作ボタン１８Ｂなどが設けられている。
【００２９】
タンクユニット５は、第１ケース３において、正面１３と上面１５とに交差する側面１９に設けられている。タンクユニット５の第２ケース７には、窓部２１が設けられている。窓部２１は、第２ケース７において、正面２４と上面２５とに交差する側部２７に設けられている。窓部２１は、光透過性を有し、窓部２１に重なる位置に、上述した４つのインクタンク９が設けられている。このため、プリンター１を使用する作業者は、窓部２１を介してインクタンク９のインクの量を視認することができる。
【００３０】
第２ケース７の上面２５には、取っ手部６０が設けられる。取っ手部６０は、延在部６１と、延在部６１を支持する一対の支持部６２とを有する。延在部６１は、上面２５から離れて前後方向Ｙに延在する。それぞれの支持部６２は、上面２５から上下方向Ｚ（鉛直方向）に立設して設けられ、上部が延在部６１の前後方向における両端部に接続される。
【００３１】
このような構成により、使用者は、上面２５、支持部６２、延在部６１によって囲まれる開口部６３に手の先を挿入し、延在部６１を把持することができる。
【００３２】
図２は、第２ケース７を取り外した状態のプリンター１の斜視図である。各インクタンク９には、窓部２１に対面する部位に、インクの量の上限を示す上限マーク２８と、インクの量の下限を示す下限マーク２９とが設けられている。作業者は、上限マーク２８及び下限マーク２９を目印にして各インクタンク９におけるインクの量を把握することができる。
【００３３】
第１ケース３と第２ケース７とは、互いに別体で構成されている。このため、本実施形態では、図２に示すように、第２ケース７を第１ケース３から分離することができる。第２ケース７は、取付けビス３１によって第１ケース３に結合されている。
【００３４】
図３は、第１ケース３、第２ケース７を取り外した状態のプリンター１の斜視図である。プリンター１は、印刷部４１、供給部を含んで構成する機構ユニット１０を備える。印刷部４１は、キャリッジ４５、記録ヘッド４７を含んで構成される。供給部は、供給チューブ４３、４つの中継ユニット４９を含んで構成される。
【００３５】
印刷部４１、機構ユニット１０、インクタンク９は、共通のフレーム５０に支持される。インクタンク９は、フレーム５０における液体収容ユニット底部５０ａに支持される。
【００３６】
記録ヘッド４７と４つの中継ユニット４９とは、キャリッジ４５に搭載されている。供給チューブ４３は、可撓性を有しており、インクタンク９と中継ユニット４９とを接続する。インクタンク９内のインクは、供給チューブ４３を介して中継ユニット４９に送られる。中継ユニット４９は、インクタンク９から供給チューブ４３を介して供給されたインクを記録ヘッド４７に中継する。記録ヘッド４７は、供給されたインクをインク滴として吐出する。
【００３７】
機構ユニット１０は、媒体搬送機構（図示せず）と、ヘッド移動機構（図示せず）と、を有している。媒体搬送機構は、図示しないモーターからの動力によって搬送ローラー５１を駆動することによって、用紙Ｐを前後方向Ｙ方向に沿って搬送する。ヘッド移動機構は、モーター５３からの動力を、タイミングベルト５５を介してキャリッジ４５に伝達することによって、キャリッジ４５を左右方向Ｘに沿って移動させる。
【００３８】
記録ヘッド４７は、キャリッジ４５に搭載されている。このため、記録ヘッド４７は、ヘッド移動機構によって、キャリッジ４５を介して左右方向Ｘに移動される。なお、記録ヘッド４７は、用紙Ｐに対面した状態でキャリッジ４５に支持されている。媒体搬送機構及びヘッド移動機構によって、用紙Ｐに対する記録ヘッド４７の相対位置を変化させながら、記録ヘッド４７からインクを吐出することによって用紙Ｐに印刷が施される。
【００３９】
以上、本実施形態で説明したプリンター１は、用紙Ｐにインクを噴射する記録ヘッド４７と、記録ヘッド４７を収容する筐体としての第１ケース３と、第１ケース３の外側に配置され、インクを収容する液体収容ユニットとしてのタンクユニット５と、タンクユニット５に収容されるインクタンク９から記録ヘッド４７にインクを供給する供給部と、タンクユニット５の第２ケース７に設けられた取っ手部６０と、を備える。
【００４０】
そして、取っ手部６０は、第２ケース７の上面２５から離れて延在する延在部６１と第２ケース７の上面２５から突出して延在部６１を支持する一対の支持部６２とを有する。
【００４１】
この構成により、使用者は、取っ手部６０を確実に把持し、プリンター１を安定した姿勢で容易に移動可能である。
【００４２】
また、取っ手部６０の支持部６２は、第２ケース７の上下方向Ｚにおける上部である上面２５に設けられるので、プリンター１の幅方向の長さを短くできる。
【００４３】
また、第２ケース７は、インクタンク９が視認可能な透明部材によって形成された視認部としての窓部２１を有し、取っ手部６０の支持部６２は、窓部２１が配置されない部分に設けられる。これにより、窓部に支持部が配置されて窓部の範囲が小さくなる場合と比較して、視認性が低下することを抑制できる。
【００４４】
図１１は、第１ケース３の側面２０に筐体用取っ手部としての取っ手部１２０が設けられた部分の斜視図である。図１の第１ケース３におけるタンクユニット５が備えられた側面１９と反対側となる側面２０に、取っ手部１２０を設けてもよい。これにより、使用者は、図１のタンクユニット５に設けられた取っ手部６０と図１１の取っ手部１２０とを両手で把持し、プリンターを安定した姿勢で移動させることができる。
【００４５】
（実施形態２）
実施形態１では、図１の取っ手部６０が第２ケース７に固定されたが、実施形態２では、取っ手部がタンクユニットを支持するフレームに固定されたプリンターについて説明する。
【００４６】
図４（ａ）は、実施形態２におけるプリンター１ａの第２ケース７ａを取り外した状態の斜視図である。タンクユニット５ａのインクタンク９は、第１ケース３と共通のフレーム５０における液体収容ユニット底部５０ａに支持される。
【００４７】
取っ手部７０は、支持部８０に設けられ、支持部８０はフレーム５０における液体収容ユニット底部５０ａに固定される。従って、取っ手部７０は、支持部８０を介して、フレーム５０に対して固定される。
【００４８】
支持部８０は、前後方向Ｙにおけるインクタンク９の前後に立設する一対の立設部８１と、立設部８１の上端部に接続されて前後方向に延在する延在部８２とを有する。第２ケース７ａの上面２５ａを形成する壁部には、前後方向に延びる開口部２６が設けられる。
【００４９】
図４（ｂ）は、第２ケース７ａを液体収容ユニット底部５０ａに装着した状態において、第２ケース７ａの上部に備えられた取っ手部７０の部分を示す斜視図である。取っ手部７０は、第２ケース７ａの開口部２６を貫通し、支持部８０の延在部８２の前後方向における中央部が露出する。
【００５０】
取っ手部７０は、延在部８２から離れて延在する延在部７１と、第２ケース７ａの上面２５ａから突出して延在部７１を支持する一対の支持部７２と、を有する。使用者は、延在部８２、一対の支持部７２、延在部７１によって囲まれる開口部７３に手の先を挿入し、延在部７１を把持することができる。
【００５１】
本実施形態の取っ手部７０は、フレーム５０における液体収容ユニット底部５０ａに固定された立設部８１に支持される。このような構成により、取っ手部７０をタンクユニット５ａに強固に固定できる。本実施形態のプリンター１ａの他の構成は、実施形態１で説明したプリンター１の構成と同じである。
【００５２】
（実施形態３）
図５（ａ）は、実施形態３におけるタンクユニット５ｂの第２ケース７ｂに取っ手部１００が備えられた部分を示す斜視図である。取っ手部１００は、第２ケース７ｂとは別部材によって形成される。
【００５３】
取っ手部１００は、第２ケース７ｂの上面２５ｂから離れて前後方向に延在する延在部１０１と、第２ケース７ｂの上面２５ｂから突出して延在部１０１を支持する一対の支持部１０２と、を有する。
【００５４】
一対の支持部１０２の前後方向における両側には、一対の被固定部１０３が形成され、被固定部１０３は、ねじ１０４によって上面２５ｂを形成する壁部に固定される。従って、取っ手部１００は、第２ケース７ｂを含んで構成される液体収容ユニットとしてのタンクユニット５ｂに対して着脱可能である。
【００５５】
使用者は、上面２５ｂ、一対の支持部１０２、延在部１０１によって囲まれる開口部１０５に手の先を挿入し、延在部１０１を把持することができる。本実施形態のプリンターの他の構成は、実施形態１で説明したプリンター１の構成と同じである。
【００５６】
取っ手部１００は、第２ケース７ｂとは別部材であるので、本実施形態のプリンターとは異なる構成の他のプリンターと共通の取っ手部１００として構成すれば、プリンターの製造コストの増加を抑制できる。
【００５７】
（実施形態４）
図５（ｂ）は、実施形態４におけるタンクユニット５ｃの貯留部に取っ手部１１０が備えられた部分を示す斜視図である。取っ手部１１０は、複数のインクタンク９が一体に形成された貯留部に固定される。
【００５８】
取っ手部１１０は、貯留部の上面１１３から離れて前後方向に延在する延在部１１１と、上面１１３から突出して延在部１１１を支持する一対の支持部１１２と、を有する。使用者は、上面１１３、一対の支持部１１２、延在部１１１によって囲まれる開口部１１４に手の先を挿入し、延在部１１１を把持することができる。本実施形態のプリンターの他の構成は、実施形態１で説明したプリンター１の構成と同じである。
【００５９】
（実施形態５）
実施形態５では、スキャナーユニットを備えた記録装置について説明する。図６は、実施形態５における複合機３１１の外観斜視図である。複合機３１１は、記録装置３１２と、記録装置３１２の筐体である装置本体３１３上に搭載されたスキャナーユニット３１４とを備えている。
【００６０】
記録装置３１２は、用紙Ｐ１に対して記録を行うことが可能である一方、スキャナーユニット３１４は原稿に記録された画像等を読みとることが可能である。
【００６１】
スキャナーユニット３１４は、記録装置３１２の装置本体３１３に対して一部が回動自在に連結されたスキャナー本体部３１５と、スキャナー本体部３１５の上方に配置された搬送ユニット３１６とを備えている。スキャナー本体部３１５は、その一端側に設けられたヒンジなどの回転機構３１７を介して、記録装置３１２に対して装置本体３１３の上方を覆う閉位置と装置本体３１３の上方を開放する開位置との間での変位可能に取り付けられている。また、搬送ユニット３１６は、その一端側に設けられたヒンジなどの回転機構３１８を介して、スキャナー本体部３１５に対してスキャナー本体部３１５の上方を覆う位置と開放する位置との間での変位可能に取り付けられている。
【００６２】
なお、以下の説明においては、複合機３１１において、回転機構３１７，３１８が設けられた側を後側または背面側というとともに、その反対側を前側という。
【００６３】
複合機３１１の前面側には操作パネル３１９が配置されている。操作パネル３１９はメニュー画面等を表示するための表示部（例えば液晶ディスプレイ）３２０と、表示部３２０の周囲に設けられた種々の操作ボタン３２１とを備えている。
【００６４】
記録装置３１２において操作パネル３１９の下方にあたる位置は、装置本体３１３内から記録媒体としての用紙Ｐ１を排出するための排出口３２２が開口している。また、記録装置３１２における排出口３２２の下方には、引き出し可能な排紙台３２３が収容されている。
【００６５】
記録装置３１２の背面側には、複数の用紙Ｐ１を積載可能な略矩形板状をなす引き出し式の媒体支持体３２４が取り付けられている。また、スキャナー本体部３１５の後部には、基端側（本実施形態では前端側）を中心に回動可能な導入口カバー３２５が取り付けられている。
【００６６】
また、装置本体３１３の外部であって右側面となる取付面３１３ａには、インクを収容する液体収容ユニットの一例としてのタンクユニット３２７が固定されている。また、装置本体３１３とタンクユニット３２７の間となる位置であって、且つ取付面３１３ａの後寄りの位置には、スケール（不図示）を収容するスケール収容部３２８が設けられている。スケール収容部３２８は、スケールの厚さに対応した左右方向Ｘの深さ及びスケールの幅に対応した前後方向Ｙの幅で上下方向Ｚに長い矩形の溝形状をなすように、取付面３１３ａに凹みが形成されている。
【００６７】
一方、装置本体３１３の内部には、主走査方向となる左右方向Ｘに往復移動可能な状態で保持されたキャリッジ３２９と、キャリッジ３２９に装着された中継アダプター３３０とが設けられている。可撓性を有する供給チューブ３３１の一端側は、中継アダプター３３０に接続され、他端側は、タンクユニット３２７に接続されている。また、キャリッジ３２９の下面側には、タンクユニット３２７から供給されたインクを噴射可能な記録ヘッド３３２が支持されている。
【００６８】
タンクユニット３２７に収容されたインクは、水頭差を利用することにより供給チューブ３３１を介して記録ヘッド３３２へ供給される。そして、記録ヘッド３３２に供給されたインクは、搬送機構（図示略）によって搬送される用紙Ｐ１に対して噴射されることで記録が行われる。
【００６９】
図７は、装置本体３１３におけるタンクユニット３２７が取り付けられる取付面３１３ａの斜視図である。取付面３１３ａにおけるタンクユニット３２７を取り付ける取付位置には、リブ３３４が取付面３１３ａから突出するように形成されている。リブ３３４はタンクユニット３２７の外形およびスケール収容部３２８の縁に沿うように形成されている。
【００７０】
また、リブ３３４には、固定部材の一例としてのねじ（不図示）が螺合可能な少なくとも１つ（本実施形態では５つ）のねじボス部３３７が、取付面３１３ａから突出して形成されている。
【００７１】
図７に示すように、取付面３１３ａには、左右方向Ｘに大きな厚みを有する吸収材３３９が貼着されている。さらに、取付面３１３ａには、装置本体３１３の内外を連通させる略矩形状の連通孔３４０が形成され、連通孔３４０には、供給チューブ３３１が挿通される。
【００７２】
以下、図８に示すタンクユニット３２７について説明する。
なお、タンクユニット３２７における左右方向Ｘ、前後方向Ｙ、上下方向Ｚは、タンクユニット３２７が装置本体３１３に取り付けられた状態での各方向を基準とする。すなわち、タンクユニット３２７は、左右方向Ｘ及び上下方向Ｚに比べて前後方向Ｙに大きな略直方体状をなしている。
【００７３】
図８は、タンクユニット３２７の斜視図である。タンクユニット３２７は、保護ケースの一例としてのタンクケース３４２と、タンクケース３４２内に収容される貯留部の一例としてのインクタンク３４３とを備えている。タンクケース３４２における前後方向Ｙ及び上下方向Ｚに沿う外面（この場合、右側面）を形成する壁部には、タンクケース３４２の内外を連通する略矩形状の窓部３４９が形成されている。
【００７４】
したがって、インクタンク３４３は、タンクケース３４２内に収容された状態において、その一部が窓部３４９を介してタンクケース３４２の外部から視認可能である。なお、タンクケース３４２における窓部３４９の周囲は面取りがされている。
【００７５】
タンクユニット３２７は、タンクケース３４２に対して前後方向Ｙにスライド移動するカバー３４４と、タンクケース３４２内に収容されるチョークバルブ３４５とを備えている。
【００７６】
タンクケース３４２の前面には凹部３４６が形成され、その凹部３４６内にはチョークバルブ３４５を操作するためのバルブレバー３４７が設けられている。なお、チョークバルブ３４５は、使用者によってバルブレバー３４７が操作されるのに伴って供給チューブ３３１を押し潰し、インクタンク３４３から記録ヘッド３３２へのインクの供給を遮断する。
【００７７】
インクタンク３４３の上部には、インク注入部３５３が形成されている。使用者は、インク注入部３５３に形成された注入口（不図示）を封止するキャップ３５４を取り外し、注入口からインクを注入することができる。
【００７８】
次に、図６の取っ手部３９０について説明する。
取っ手部３９０は、タンクケース３４２の上部に設けられる。図８の取っ手部３９０は、タンクケース３４２に固定されて上方に突出する一対の支持部３９２と、支持部３９２の上端部に接続されて前後方向Ｙに延びる延在部３９１と、延在部３９１の下方に位置し、支持部３９２の下端部と接続されて前後方向Ｙに延びる延在部３９３と、を有する。
【００７９】
図８に示すように、カバー３４４には、前後方向Ｙに延びる開口部３９４が形成される。カバー３４４が前後方向Ｙにスライド移動すると、開口部３９４は、延在部３９３に対してスライド移動する。上下方向Ｚから見た開口部３９４の形状は、背面側の支持部３９２の下端部と延在部３９３を含む形状と略同じである。図６のカバー３４４が前後方向Ｙにおける前側の位置にあるとき、開口部３９４は、取っ手部３９０の延在部３９３によって遮蔽される。
【００８０】
以上、本実施形態で説明したように、液体収容ユニットとしてのタンクユニット３２７は、タンクユニット３２７の一部を開閉可能に覆うカバー部であるカバー３４４を有し、取っ手部３９０の支持部３９２は、カバー３４４が配置されない部分に設けられる。これにより、使用者がカバー３４４をスライド移動する際、支障にならない。
【００８１】
また、インクタンク３４３は、インクを注入する注入口が形成されたインク注入部３５３を有し、取っ手部３９０の支持部３９２は、注入口が配置されない部分に設けられる。これにより、使用者がインクを注入する際、支障にならない。
【００８２】
（実施形態６）
実施形態６では、取っ手部がタンクケースの側部に設けられたプリンターについて説明する。図９は、実施形態６における液体収容ユニットとしてのタンクユニット３２７ａの斜視図である。取っ手部４００は、タンクケース３４２ａの側部に設けられる。
【００８３】
タンクケース３４２ａの上部を覆うカバー３４４ａは、タンクケース３４２ａに対して前後方向Ｙにスライド移動可能に備えられる。
【００８４】
取っ手部４００は、タンクケース３４２ａの側面３４８から離れて延在する延在部４０１と側面３４８から突出して延在部４０１を支持する一対の支持部４０２とを有する。使用者は、側面３４８、一対の支持部４０２、延在部４０１によって囲まれる開口部４０３に手の先を挿入し、延在部４０１を把持することができる。
【００８５】
取っ手部４００がタンクケース３４２ａの側部に設けられていることにより、プリンターの上下方向Ｚにおける高さが高くなることを抑制する。
【００８６】
また、取っ手部４００の支持部４０２は、窓部３４９が配置されない部分に設けられる。これにより、窓部３４９の範囲が小さくなることにより視認性が低下することを抑制できる。
【００８７】
図１０（ａ）〜（ｃ）は、取っ手部の形状を示す斜視図である。実施形態１〜実施形態６の取っ手部の延在部、支持部は角柱状であったが、図１０（ａ）に示すように、取っ手部４１０における、延在部４１１、一対の支持部４１２は、円柱状でもよい。
【００８８】
実施形態１〜実施形態６の取っ手部は、一対の支持部を有したが、図１０（ｂ）に示すように、取っ手部４２０は、延在部４２１の一方の端部に接続された支持部４２２を有してもよい。
【００８９】
実施形態１〜実施形態６の取っ手部の延在部は、直線状に延びる形状であったが、図１０（ｃ）に示すように、取っ手部４３０は、下端部が支持部４３２に支持された湾曲した形状の延在部４３１を有してもよい。
【符号の説明】
【００９０】
１，１ａ…インクジェットプリンター、３…第１ケース、５，５ａ，５ｂ，５ｃ…タンクユニット、７，７ａ，７ｂ…第２ケース、９，３４３…インクタンク、１３…正面、２０…側面、２１，３４９…窓部、２２…インク注入部、４３，３３１…供給チューブ、４７，３３２…記録ヘッド、４９…中継ユニット、６０，７０，１００，１１０，１２０，３９０，４００…取っ手部、６１，７１，１０１，１１１，３９１，４０１…延在部、６２，７２，１０２，１１２，３９２，４０２…支持部、３１１…複合機、３１３…装置本体、３２７，３２７ａ…タンクユニット、３３０…中継アダプター、３４２，３４２ａ…タンクケース、３４４，３４４ａ…カバー、Ｐ，Ｐ１…用紙。
【図１】
2015112777.tif 000003
【図２】
2015112777.tif 000004
【図３】
2015112777.tif 000005
【図４】
2015112777.tif 000006
【図５】
2015112777.tif 000007
【図６】
2015112777.tif 000008
【図７】
2015112777.tif 000009
【図８】
2015112777.tif 000010
【図９】
2015112777.tif 000011
【図１０】
2015112777.tif 000012
【図１１】
2015112777.tif 000013